(57)【要約】【課題】  段ボール箱を簡易に再使用可能にすること。【解決手段】  相重なる接合片２１、２２を側壁１１、１２に設け、一方の接合片２１の表面と他方の接合片２２の裏面が接着剤４０を介して接着される段ボール箱１０であって、一方の接合片２１の表面と他方の接合片２２の裏面のそれぞれにおける少なくとも接着予定領域を含む領域に、保護シート３１、３２を設けたもの。【選択図】  図１
2010018325.tif 000002
【特許請求の範囲】
【請求項１】
天面または底面の開口部を閉じるための接合片を側壁に設け、一方の接合片の表面と他方の接合片の裏面が接着剤を介して接着される段ボール箱であって、
一方の接合片の表面と他方の接合片の裏面のそれぞれにおいて、少なくとも接着予定領域を含む領域に、保護シートを設けた段ボール箱。
【請求項２】
前記段ボール箱が、左右側壁に連設される内フラップと、前後側壁に連設される外フラップのそれぞれを前記接合片としてなるＡ式段ボール箱である請求項１に記載の段ボール箱。
【請求項３】
前記段ボール箱が、複数個の順に連設された側壁を巻き形成し、一端の側壁の端部と他端の側壁の端部に連設された継ぎフラップのそれぞれを前記接合片としてなるラップラウンド式段ボール箱である請求項１に記載の段ボール箱。
【請求項４】
前記接着剤が、固体系接着剤である請求項１〜３のいずれかに記載の段ボール箱。
【請求項５】
前記接着剤が、（I）成分：ブロック共重合体、（II）成分：粘着付与剤及び（III）成分：可塑剤を含んで成るホットメルト接着剤であって、
（I）成分：ブロック共重合体は、スチレン含有率が35〜50重量％、スチレン−ブタジエンジブロック含有率が50〜80重量％、15重量％トルエン溶液の25℃での粘度が20〜40mPa・sである（Ａ）スチレン−ブタジエン−スチレンブロック共重合体を、30重量％以上含んで成り、
（I）、（II）、及び（III）成分の総和に対して、（I）成分が17〜30重量％含まれるホットメルト接着剤である請求項１〜４のいずれかに記載の段ボール箱。
【請求項６】
前記接着剤が、（A）ビニル系芳香族炭化水素と共役ジエン化合物との共重合体である熱可塑性ブロック共重合体と、（B）カルボン酸及び／又はカルボン酸無水物で変性されたワックスとを、含有するホットメルト接着剤であり、
（A）熱可塑性ブロック共重合体は、スチレン−イソプレンブロックコポリマー（ＳＩＳ）、スチレン−ブタジエンブロックコポリマー（ＳＢＳ）、水素添加されたスチレン−イソプレンブロックコポリマー（ＳＥＰＳ）及び水素添加されたスチレン−ブタジエンブロックコポリマー（ＳＥＢＳ）から選ばれた少なくとも一種であり、
（B）カルボン酸及び／又はカルボン酸無水物で変性されたワックスは、マレイン酸及び／又は無水マレイン酸で変性されたポリオレフィンワックスである請求項１〜４のいずれかに記載の段ボール箱。
【請求項７】
前記段ボール箱の底部が、側壁に連設される複数個の底構成片を組合せた組み底により形成される請求項１〜６のいずれかに記載の段ボール箱。
【発明の詳細な説明】
【技術分野】
【０００１】
本発明は段ボール箱に関する。
【背景技術】
【０００２】
段ボール箱として、左右側壁に連設される内フラップと、前後側壁に連設される外フラップとを有し、梱包時に内フラップの表面と外フラップの裏面が接着剤を介して接着されるものがある。このような段ボール箱では、開封のために内フラップと外フラップの接着を剥がしたとき、内フラップの表面と外フラップの裏面が剥がれて損傷し、再使用できなくなる。
【０００３】
特許文献１に記載の段ボール箱は、再使用を図るため、段ボール箱の梱包時に、内フラップと外フラップを接着せずに単に重ねて閉じ、その箱全体をプラスチック製フィルムにより被覆している。段ボール箱の再使用時に、フィルムを取り替えることにより、新品と同様に再使用できる。
【特許文献１】特開2006-103786
【発明の開示】
【発明が解決しようとする課題】
【０００４】
特許文献１に記載の段ボール箱では、段ボール箱の全体をフィルムにより被覆するために、大量のフィルムが必要になるし、その自動機械化にも困難を伴う等の不都合がある。
【０００５】
本発明の課題は、段ボール箱を簡易に再使用可能にすることにある。また、段ボール箱の再使用の際には、段ボール箱の自動組立機械、自動封緘機械の改造も最小限で使用可能とすることにある。
【課題を解決するための手段】
【０００６】
請求項１の発明は、互いに重なりあう接合片を側壁に設け、一方の接合片の表面と他方の接合片の裏面が接着剤を介して接着される段ボール箱であって、一方の接合片の表面と他方の接合片の裏面のそれぞれにおける少なくとも接着予定領域を含む領域に、プラスチックフィルムからなる保護シートを設けたものである。
【発明を実施するための最良の形態】
【０００７】
（実施例１）（図１）
図１は段ボール箱１０を示すものである。この段ボール箱１０は、通い箱として繰り返し使用されるものであるが、１回限りの使用であってもその使用中に保証書を入れる等の目的で一時的に開封した後再び閉じるものであっても良い。
【０００８】
段ボール箱１０は、Ａ式の段ボール箱であり、左右側壁及び前後側壁の上下端のそれぞれに接合片２１、２２としての外フラップ２２Ａ、２２Ａ及び内フラップ２１Ａ、２１Ａを連設し、それらの外フラップ２２Ａ、２２Ａ及び内フラップ２１Ａ、２１Ａにより天面及び底面の開口部を閉じるようにしたものである。以下、段ボール箱１０の天面側の構成について説明し、底面側の構成については天面側と同様であるから説明省略する。但し、本発明の段ボール箱１０は、天面についてだけ上述の外フラップ２２Ａ、２２Ａ及び内フラップ２１Ａ、２１Ａを有するＡ式とし、底面については特殊な組立構造を採用するものでも良い。
【０００９】
段ボール箱１０は、互いに重なる接合片２１、２２のうち、一方の接合片２１である左右の内フラップ２１Ａ、２１Ａを幅狭の左右側壁１１、１１の上端に連設し、他方の接合片２２である前後の外フラップ２２Ａ、２２Ａを幅広の前後側壁１２、１２の上端に連設する。
【００１０】
尚、段ボールとは、波形に成形した中芯原紙の片面又は両面にライナーを貼り合せたものであるが、材の形状が上述の段ボールではない単なる板状の発泡性樹脂からなる箱もプラスチック段ボール箱と呼ばれており、本発明の段ボール箱には、このプラスチック段ボール箱も含まれる。
【００１１】
段ボール箱１０は、一方の接合片２１である内フラップ２１Ａの表面と、他方の接合片２２である外フラップ２２Ａの裏面とのそれぞれに、少なくとも接着予定領域Ａ（後述する接着剤４０が塗布される予定の領域）を含む領域に、接着剤４０の塗布前に予め、保護シート３１、３２を貼着する。保護シート３１は内フラップ２１Ａの全表面を覆うように設けても良く、保護シート３２は外フラップ２２Ａの全裏面を覆うように設けても良い。
【００１２】
段ボール箱１０は、内フラップ２１Ａの表面と、外フラップ２２Ａの裏面が、内フラップ２１Ａの表面の保護シート３１（外フラップ２２Ａの裏面の保護シート３２でも可）に塗布した接着剤４０を介して接着される。接着剤４０は内フラップ２１Ａの表面の保護シート３１と外フラップ２２Ａの裏面の保護シート３２に粘着し、内フラップ２１Ａの表面と外フラップ２２Ａの裏面を接着するものになる。
【００１３】
保護シート３１、３２に用いる素材は、接着剤の化学的作用や熱的作用等にて変質しないもの、またその変質が最小減となるものが好ましい。
【００１４】
保護シート３１、３２としては、プラスチックフィルムが好ましく、特にＯＰＰ（オリエンテッドポリプロピレン）粘着テープが好ましい。更に、塩化ビニル樹脂、オレフィン系樹脂、フッソ系樹脂等の粘着テープでも良い。保護シート３１、３２としては、フィルム材に粘着剤を塗布したものでも代用でき、フィルム材はＰＰ（ポリプロピレン）、ＰＥ（ポリエチレン）、ＮＹ（ナイロン）／ＰＥ等のプラスチックフィルム、共押しフィルム、発泡フィルム、再生フィルム、生分解フィルム、延伸・無延伸フィルム等、特に限定されない。更に、これらの材を複数ラミネートしたものでも良い。
【００１５】
保護シート３１、３２としては、金属フィルムに粘着剤を塗布したものでも良い。この場合、特に、アルミ粘着テープやステンレス粘着テープが好ましい。保護シート３１、３２として、金属フィルム材に粘着材が塗布されたものも用いることができ、金属フィルム剤としてはアルミ材、銅材、ステンレスなどの鉄系材等、特に限定されない。また、金属フィルムの表面にはプラスチックフィルムがラミネートされていても良い。
【００１６】
保護シート３１、３２としては、紙製粘着テープでも良い。特に、クラフト粘着テープが好ましく、ガムテープでも良い。ここで言うガムテープとは、水溶性の糊材をクラフト紙に塗布し乾燥したテープであり、使用時は水分を供給して糊部を活性化して使用するものをいう。保護シート３１、３２としては、紙系材料に粘着材が塗布されたものでもよい。
【００１７】
保護シート３１、３２としては、布製粘着テープでも良い。特に布粘着テープが好ましい。布部の材質は、スフモス等の化繊、アクリル等のプラスチック、ガラスクロス等、特に限定されない。保護シート３１、３２としては、布製材料に粘着材が塗布されたものでも良い。
【００１８】
保護シート３１、３２としては、ゴム粘着テープが好ましい。ゴム部の材質は、ウレタンゴム、シリコーンゴム等、特に限定されない。保護シート３１、３２として、ゴムシート材料に粘着材が塗布されたものも用いることができる。
【００１９】
ここで保護シート３１、３２は、粘着力が強すぎないものが好ましい。これは、保護シートの貼り替えが必要となった際における保護テープの剥がし時に、段ボール箱１０の表面の傷みを最小減とするため、またその労力の低減のためである。
【００２０】
接着剤４０としては、固体系の接着剤が再使用の点から好ましい。すなわち、固体系の接着剤は、段ボール箱の再使用時、つまり段ボール箱の組立時に室温でも粘着性を失わないので、接着剤も含め、そのまま再使用が可能となり、接着剤の再塗布や加熱溶融などの手間が省けるためである。固体系の接着剤としては、ホットメルト接着剤が好ましく、アクリル系粘着剤、ゴム系粘着剤等を使用しても良い。
【００２１】
接着剤４０としては、「（I）成分：ブロック共重合体、（II）成分：粘着付与剤及び（III）成分：可塑剤を含んで成るホットメルト接着剤であって、（I）成分：ブロック共重合体は、スチレン含有率が35〜50重量％、スチレン−ブタジエンジブロック含有率が50〜80重量％、15重量％トルエン溶液の25℃での粘度が20〜40mPa・sである（Ａ）スチレン−ブタジエン−スチレンブロック共重合体を、30重量％以上含んで成り、（I）、（II）、及び（III）成分の総和に対して、（I）成分が17〜30重量％含まれるホットメルト接着剤」（特開2004-137297参照）を採用できる。
【００２２】
また、接着剤４０としては、「（A）ビニル系芳香族炭化水素と共役ジエン化合物との共重合体である熱可塑性ブロック共重合体と、（B）カルボン酸及び／又はカルボン酸無水物で変性されたワックスとを、含有するホットメルト接着剤であり、（A）熱可塑性ブロック共重合体は、スチレン−イソプレンブロックコポリマー（ＳＩＳ）、スチレン−ブタジエンブロックコポリマー（ＳＢＳ）、水素添加されたスチレン−イソプレンブロックコポリマー（ＳＥＰＳ）及び水素添加されたスチレン−ブタジエンブロックコポリマー（ＳＥＢＳ）から選ばれた少なくとも一種であり、（B）カルボン酸及び／又はカルボン酸無水物で変性されたワックスは、マレイン酸及び／又は無水マレイン酸で変性されたポリオレフィンワックス」（特開2007-169531参照）を採用できる。
【００２３】
更に、接着剤４０としては、半固体系接着剤、反応系接着剤、溶液系接着剤、水分散系接着剤等を使用することも可能である。段ボール箱の再使用時に室温にて粘着性が失われる接着剤については、再度塗布すれば良い。また、両面粘着性のテープを接着剤４０として使用しても良い。
【００２４】
尚、段ボール箱１０の底部は、前述の如く、特殊な組立構造からなるものを採用でき、例えば、側壁１１、１２の下端に連設される複数個の底構成片を組合せた組み底を採用できる（図３、図４）。
【００２５】
図３の組み底５０は、ブランクの底板構成片５１に連設された底部連結片５２を隣接する底部構成片５１Ａに糊付けし、ブランクを箱状に膨らます（図３（Ａ）参照）と連結された底部構成片が展開されて底壁になる構成からなる。当該業界においては、底ワンタッチ箱等と呼ばれる。
【００２６】
図４の組み底６０は、底壁を形成する縦横一対のフラップ状の底板構成片を用い、まず縦方向で先端に凹部６１Ａが形成された第１底板構成片６１を内側に折り曲げ（図４（Ａ）参照）、次いで左右方向の第２、第３底板構成片６２を第１底板構成片６１の上に重ねてスリットＳを形成し（図４（Ｂ）参照）、最後に縦方向で先端に突部６３Ａが形成された第４底板構成片６３をその上から重ねるとともに先端を押し込む（図４（Ｃ）、（Ｄ）参照）と、前記突部が前記第１〜第３底板構成片で形成された溝に押し込まれてロックされる構成からなる。当該業界においては、Ｂ式、ジゴク底、地獄底、アメリカンロック等と呼ばれる。
【００２７】
本実施例によれば以下の作用効果を奏する。
(a)段ボール箱１０は、相重なる接合片２１、２２のそれぞれにおける接着予定領域Ａに保護シート３１、３２を設けられた上で、一方の接着片２１の表面と他方の接着片２２の裏面を接着剤４０により接着される。開封のために接着を剥がすときに、接着剤４０はそれらの保護シート３１、３２から剥離され、一方の接合片２１の表面と他方の接合片２２の裏面を剥がすことなく、段ボール箱１０の表面に損傷を与えることがないから、段ボール箱１０を再使用できる。
【００２８】
(b)Ａ式段ボール箱１０において、内フラップ２１Ａと外フラップ２２Ａのそれぞれを上述の接合片２１、２２とし、上述(a)を実現できる。
【００２９】
(c)接着剤４０として、「（I）成分：ブロック共重合体、（II）成分：粘着付与剤及び（III）成分：可塑剤を含んで成るホットメルト接着剤であって、（I）成分：ブロック共重合体は、スチレン含有率が35〜50重量％、スチレン−ブタジエンジブロック含有率が50〜80重量％、15重量％トルエン溶液の25℃での粘度が20〜40mPa・sである（Ａ）スチレン−ブタジエン−スチレンブロック共重合体を、30重量％以上含んで成り、（I）、（II）、及び（III）成分の総和に対して、（I）成分が17〜30重量％含まれるホットメルト接着剤」、「（A）ビニル系芳香族炭化水素と共役ジエン化合物との共重合体である熱可塑性ブロック共重合体と、（B）カルボン酸及び／又はカルボン酸無水物で変性されたワックスとを、含有するホットメルト接着剤であり、（A）熱可塑性ブロック共重合体は、スチレン−イソプレンブロックコポリマー（ＳＩＳ）、スチレン−ブタジエンブロックコポリマー（ＳＢＳ）、水素添加されたスチレン−イソプレンブロックコポリマー（ＳＥＰＳ）及び水素添加されたスチレン−ブタジエンブロックコポリマー（ＳＥＢＳ）から選ばれた少なくとも一種であり、（B）カルボン酸及び／又はカルボン酸無水物で変性されたワックスは、マレイン酸及び／又は無水マレイン酸で変性されたポリオレフィンワックス」を用いることにより、低温で軟化する接着剤を用いることができる。このため、接着剤４０の塗布可能温度が低く、接着剤４０が塗布される保護シート３１、３２を傷めない。また、室温においても粘着性を有している。開封時に接着剤４０が完全に固化して剥落することがないし、開封後に接着剤４０を除去しなければそのまま接着剤４０として再使用できる。また、段ボール箱の再使用の際、必要に応じて保護シート３１、３２を剥がして、新しい保護シート３１、３２を貼り直して使用しても良い。
【００３０】
(d)段ボール箱１０の底部は組み底５０又は６０により形成することもできる。
【００３１】
（実施例２）
図２の段ボール箱１１０は、ラップラウンド式の段ボール箱であり、左側壁１１１Ａ、前側壁１１２Ａ、右側壁１１１Ｂ、後側壁１１２Ｂを順に連設し、例えば前側壁１１２Ａの上に内容物１を挿入後、これらの側壁１１１Ａ〜１１２Ｂを巻形成して内容物１を包む。このとき、一端の左側壁１１１Ａの端部１１３Ａと、他端の後側壁１１２Ｂの端部に連設される継ぎフラップ１１４Ａのそれぞれを相重なる接合片１１３、１１４とし、接合片１１３の表面と接合片１１４の裏面を接着剤１１５（不図示）により接着し、内容物１を包む箱胴部を形成する。
【００３２】
ここで、段ボール箱１１０は、一方の接合片１１３としての左側壁１１１Ａの端部１１３Ａの表面と、他方の接合片１１４としての継ぎフラップ１１４Ａの裏面のそれぞれにおける少なくとも接着予定領域Ａ（接着剤１１５が塗布される予定の領域）を含む領域に、接着剤１１５の塗布前に予め、プラスチックフィルムからなる保護シート１１６、１１７を貼着する。
【００３３】
これにより、段ボール箱１１０は、一方の接合片１１３としての左側壁１１１Ａの端部１１３Ａの表面と、他方の接合片１１４としての継ぎフラップ１１４Ａの裏面が、例えば端部１１３Ａの表面の保護シート１１６（継ぎフラップ１１４Ａの裏面の保護シート１１７でも可）に塗布した接着剤１１５を介して接着される。接着剤１１５は端部１１３Ａの表面の保護シート１１６と継ぎフラップ１１４Ａの裏面の保護シート１１７に粘着し、端部１１３Ａの表面と継ぎフラップ１１４Ａの裏面を接着するものになる。
【００３４】
更に、段ボール箱１１０の天面と底面の構成については、前述の段ボール箱１０（側壁１１、１２、内フラップ２１Ａ、外フラップ２２Ａ、接合片２１、２２、保護シート３１、３２、接着剤４０を有する）と同様に、左右側壁１１１Ａ、１１１Ｂの上下端に左右の内フラップ１２１Ａ、１２１Ａを連設し、前後側壁１１２Ａ、１１２Ｂの上下端に前後の外フラップ１２２Ａ、１２２Ａを連設し、左右の内フラップ１２１Ａ、１２１Ａを一方の接合片１２１とし、前後の外フラップ１２２Ａ、１２２Ａを他方の接合片１２２とする。そして、一方の接合片１２１としての内フラップ１２１Ａの表面と、他方の接合片１２２としての外フラップ１２２Ａの裏面のそれぞれにおける少なくとも接着予定領域Ａ（後述する接着剤１４０が塗布される予定の領域）を含む領域に、接着剤１４０の塗布前に予め、プラスチックフィルムからなる保護シート１３１、１３２をそれぞれ貼着する。
【００３５】
これにより、段ボール箱１１０は、一方の接合片１２１としての内フラップ１２１Ａの表面と、他方の接合片１２２としての外フラップ１２２Ａの裏面が、例えば内フラップ１２１Ａの表面の保護シート１３１（外フラップ１２２Ａの裏面の保護シート１３２でも可）に塗布した接着剤１４０を介して接着される。接着剤１４０は内フラップ１２１Ａの表面の保護シート１３１と外フラップ１２２Ａの裏面の保護シート１３２に粘着し、内フラップ１２１Ａの表面と外フラップ１２２Ａの裏面を接着するものになる。
【００３６】
本実施例では、一方の接合片１１３としての左側壁１１１Ａの端部１１３Ａの表面と、他方の接合片１１４としての継ぎフラップ１１４Ａの裏面を先に接着したが、先に一方の接合片１２１としての内フラップ１２１Ａの表面と、他方の接合片１２２としての外フラップ１２２Ａの裏面を接着しても良い。
【００３７】
段ボール箱１１０において、保護シート１１６、１１７、１３１、１３２は、実施例１の保護シート３１、３２と同様のものを採用できる。また、接着剤１１５、１４０は、実施例１の接着剤４０と同様のものを採用できる。また、段ボール箱１１０の底部の構成として、図３、図４の組み底を採用しても良い。
【図面の簡単な説明】
【００３８】
【図１】図１は実施例１の段ボール箱を示す斜視図である。
【図２】図２は実施例２の段ボール箱を示す斜視図である。
【図３】図３は組み底の一例を示す模式図である。
【図４】図４は組み底の他の例を示す模式図である。
【符号の説明】
【００３９】
１０  段ボール箱
１１  左右側壁
１２  前後側壁
２１、２２  接合片
２１Ａ  内フラップ
２２Ａ  外フラップ
３１、３２  保護シート
４０  接着剤
５０、６０  組み底
１１０  段ボール箱
１１１Ａ、１１１Ｂ、１１２Ａ、１１２Ｂ  側壁
１１３、１１４  接合片
１１３Ａ  端部
１１４Ａ  継ぎフラップ
１１５  接着剤
１１６、１１７  保護シート
１２１、１２２  接合片
１２１Ａ  内フラップ
１２２Ａ  外フラップ
１３１、１３２  保護シート
１４０  接着剤
【図１】
2010018325.tif 000003
【図２】
2010018325.tif 000004
【図３】
2010018325.tif 000005
【図４】
2010018325.tif 000006